(57)【要約】【課題】椅子の左右方向の安定性がよく、かつ着座者の下肢部が前脚に当たる恐れを小さくするとともに、側脚が目立たないようにする。【解決手段】座体２を支持する左右の側脚９を、前下方に傾斜する前脚９ａと後下方に傾斜する後脚９ｂを有する側面視山形状とし、左右の前脚９ａ同士及び後脚９ｂ同士を、平面視において外側方に拡開させるとともに、前脚９ａの後部と後脚９ｂの前部を、座体２の下方かつ両側端よりも内方に位置させる。【選択図】図１
2007330338.tif 000002
【特許請求の範囲】
【請求項１】
座体を支持する左右の側脚を、前下方に傾斜する前脚と後下方に傾斜する後脚を有する側面視山形状とし、前記左右の前脚同士及び後脚同士を、平面視において外側方に拡開させるとともに、前脚の後部と後脚の前部を、前記座体の下方かつ両側端よりも内方に位置させたことを特徴とする椅子。
【請求項２】
左右の側脚の頂部付近同士を、左右方向を向く連結部材により連結し、この連結部材の中央部上面に、座体を支持する支基を設けた請求項１記載の椅子。
【請求項３】
側脚を、後脚の前後寸法が前脚よりも長寸をなす側面視への字状としてなる請求項１または２記載の椅子。
【請求項４】
側脚における前脚の前端と後脚の後端とに、キャスタを設けてなる請求項１〜３のいずれかに記載の椅子。
【発明の詳細な説明】
【技術分野】
【０００１】
本発明は、左右１対の側脚をもって座体を支持してなる椅子に関する。
【背景技術】
【０００２】
この種の椅子は、例えば特許文献１及び２に記載されており、公知である。
【特許文献１】特開２００２−２８２０７７号公報
【特許文献２】特開２００４−１６５１６号公報
【発明の開示】
【発明が解決しようとする課題】
【０００３】
上記特許文献１及び２に記載されている椅子においては、いずれも、座体を支持している左右の側脚は、平面視及び正面視において互いに平行をなし、かつ座体は、両側脚の内側面と近接又は当接するようにして、それらの間に支持されているため、椅子の左右方向への安定性にやや欠ける。
【０００４】
また、左右の側脚が平行をなしていると、着座者の下肢部が側脚における前脚に当たる恐れがある。
さらに、特許文献１に記載の椅子においては、側脚全体が座体の側方に露呈して目立つため、見栄えが悪い。
【０００５】
本発明は、上記問題点に鑑みてなされたもので、左右方向の安定性がよく、かつ着座者の下肢部が前脚に当たる恐れを小さくするとともに、側脚を目立たないようにして、見栄えを向上させうるようにした椅子を提供することを目的としている。
【課題を解決するための手段】
【０００６】
本発明によると、上記課題は、次のようにして解決される。
（１）座体を支持する左右の側脚を、前下方に傾斜する前脚と後下方に傾斜する後脚を有する側面視山形状とし、前記左右の前脚同士及び後脚同士を、平面視において外側方に拡開させるとともに、前脚の後部と後脚の前部を、前記座体の下方かつ両側端よりも内方に位置させる。
【０００７】
（２）上記(１)項において、左右の側脚の頂部付近同士を、左右方向を向く連結部材により連結し、この連結部材の中央部上面に、座体を支持する支基を設ける。
【０００８】
（３）上記(１)または(２)項において、側脚を、後脚の前後寸法が前脚よりも長寸をなす側面視への字状とする。
【０００９】
（４）上記(１)〜(３)項のいずれかにおいて、側脚における前脚の前端と後脚の後端とに、キャスタを設ける。
【発明の効果】
【００１０】
請求項１記載の発明によれば、脚体における両側脚の前脚と後脚は、平面視において外側方に拡開しているので、椅子の左右方向の安定性がよくなるとともに、着座者の下肢部が前脚に当たる恐れが小さくなる。
また、前脚の後部と後脚の前部は、座体の下方かつ両側端よりも内方に位置しており、両側脚が座体の外側方に大きく露呈しないので、それらが目立ちにくく、椅子の見栄えが向上する。
【００１１】
請求項２記載の発明によれば、座体の荷重が、実質的に左右の側脚の頂部付近、すなわち両側脚間の中央部において前脚と後脚との連設部付近によりバランスよく受支されるので、着座時の椅子の安定性がよくなる。
【００１２】
請求項３記載の発明によれば、脚体に後傾可能な背凭れを設け、これを後傾させた際でも、椅子の後方への安定性が確保される。
また、側脚は、側面視への字状をなしているため、脚体や座体の高さを低くすることができ、安楽姿勢で着座しうる低座高型の椅子を提供することができる。
【００１３】
請求項４記載の発明によれば、椅子の搬送等を容易に行いうるとともに、オフィス等で執務する際に、着座したまま椅子の位置や向きを自由に変えることができる。
【発明を実施するための最良の形態】
【００１４】
以下、本発明の実施形態を、図面に基づいて説明する。
図１は、本発明の椅子の前方斜視図、図２は正面図、図３は側面図、図４は、同じく背凭れを後傾させたときの側面図、図５は後面図で、この椅子は、脚体(１)と、それにより支持された座体(２)と、同じく、脚体(１)に前下端が枢着された背凭れ支持フレーム(３)と、その前面に取付けられた、メッシュ状の背凭れ板(４)とクッション体(５)とからなる背凭れ(６)と、背凭れ支持フレーム(３)の下端部に取付けられた側面視ほぼ菱形枠状の左右１対の肘掛け(７)とを備えている。
【００１５】
脚体(２)は、図６の斜視図及び図７の平面図にも示すように、前端にキャスタ(８)を有する前下がり傾斜の前脚(9a)と、これよりも前後寸法が長寸とされた、後端にキャスタ(８)を有する後下がり傾斜の後脚(9b)とからなる側面視への字形をなす左右１対の側脚(９)(９)と、両側脚(９)における頂部付近の対向面に取付けられた正面視上向コ字状をなす連結部材(10)とからなっている。
【００１６】
なお、後脚(9b)を前脚(9a)よりも長寸としたのは、背凭れ(６)を後傾した際の椅子の安定性を確保するためである。
【００１７】
左右の側脚(９)の前脚(9a)と後脚(9b)は、それぞれ、平面視前向ハの字形、および後向ハの字形に外開きに拡開するように、それらの頂部を中心として、外側方に折曲げてあり、脚体(１)の安定性を高めている。
【００１８】
各側脚(９)の頂部には、左右方向を向く短軸部(11)が一体的に連設され、また後脚(9b)の前端部の内側面には、取付片(12)が下向きに突設されている（図３参照）。
【００１９】
上記左右の短軸部(11)の内側端面には、連結部材(10)における左右１対の斜前上方を向く起立片(10a)(10a)の上端が、また取付片(12)の内側面には、同じく連結部材(10)における起立片(10a)よりも若干後脚(9b)側に位置する横杆(10b)の両側面が、それぞれ外側方より挿入したボルト(13)により螺着されている。
【００２０】
短軸部(11)に挿入したボルト(13)の頭部は、短軸部(11)の側面の凹孔に止着された円形キャップ(14)（図５においては図示略）により覆われている。
【００２１】
連結部材(10)における横杆(10b)の左右方向の中央部に形成された上向膨出部(10c)の上面には、座体(２)支持用の支基(15)の後端が、支基(15)の前端部が横杆(10b)の前方に突出するようにして、ボルト(16)により固着されている。
【００２２】
支基(15)の上端の高さは、連結部材(10)を上向コ字状として、その起立片(10a)の上端を側脚(９)の頂部に、かつ横杆(10b)を後脚(9b)の取付片(12)にそれぞれ固着したことにより、側脚(９)の頂端より若干上方に突出する程度とされている。
【００２３】
上記背凭れ支持フレーム(３)は、図３及び図５に示すように、座体(２)の後方において起立するとともに、下端に、斜め後ろ上方に傾斜する前向腕部(17a)が連設された左右１対の側部フレーム(17)(17)と、両側部フレーム(17)の上端同士を結合している後向凸円弧状の上部フレーム(18)とからなり、全体形は、前後面視ほぼ縦長下向コ字状をなしている。
【００２４】
左右の側部フレーム(17)同士の左右寸法は、左右１対の側脚(９)における後脚(9b)(9b)間の離間寸法よりも小とされ、背凭れ支持フレーム(３)を後傾させた際、前向腕部(17a)が左右の後脚(9b)間において、それと干渉しないで傾動しうるようにしてある。
【００２５】
図６に示すように、左右の前向腕部(17a)の前端には、側脚(９)の頂部の短軸部(11)とほぼ同軸をなす内向折曲部(17b)が連設され、この内向折曲部(17b)は、支基(15)内に設けられた、例えば公知のゴムトーションユニット等のリクライニング機構における左右方向を向くトーション軸（いずれも図示略）に、回動可能かつ常時側面視反時計回りに付勢された状態で連結されている。これにより、背凭れ支持フレーム(３)及びそれに取付けられた背凭れ(６)は、着座者が背凭れ(６)を後方に押動すると、支基(15)を中心として後傾するようになる（図４参照）。
【００２６】
支基(15)の前端に連設された、左右両側端部が支基(15)の外側方に突出する軸状支持部(19)の外側端面には、図３及び図６に示すように、上下方向を向く左右１対の座支持リンク(20)(20)の下端における内向折曲部の内側面が、左右方向を向く枢軸(21)により、前後に回動可能に枢着されている。
【００２７】
また、背凭れ支持フレーム(３)における左右の前向腕部(17a)の前端部上面には、座支持片(22)(22)が上向に突設されている。(23)は、直方体状の肘掛け取付部で、座支持片(22)と連続するようにして、前向腕部(17a)の上面に突設されている。
【００２８】
上記左右の座支持リンク(20)の上端には、座体(２)の下面に取付けられた座枠(24)における前端部の左右両側部が、左右方向を向く枢軸(25)により回動可能に枢着され、また、上記左右の座支持片(22)の上端には、座枠(24)の後部側の左右両側部が、左右方向を向く枢軸(26)により回動可能に枢着されている（図３参照）。
【００２９】
これにより、座体(２)の前部は、左右１対の座支持リンク(20)を介して、実質的に脚体(１)と一体をなす支基(15)の前端の左右両側部により支持されるとともに、座体(２)の後部寄りの中間部は、左右１対の座支持片(22)を介して、背凭れ支持フレーム(３)の左右の前向腕部(17a)により支持されている。
【００３０】
従って、図４に示すように、背凭れ支持フレーム(３)を背凭れ(６)と共に後傾させると、それと連動して座体(２)も後下方に傾動させられるようになる。なお、座体(２)の取付後においては、両側脚(９)における前脚(9a)の後部と後脚(9b)の前部が、座体(２)の両側端よりも内方に位置し、脚体(１)の両側脚(９)が外側方に大きく突出しないようにしてある（図２参照）。
【００３１】
以上説明したように、上記実施形態の椅子においては、背凭れ支持フレーム(３)の前下端が、脚体(１)の両側脚(９)(９)間の中央上部、すなわち座体(２)の前方寄りの下方において、脚体(１)と実質的に一体をなす支基(15)に回動可能に枢着されているので、枢着部から背凭れ支持フレーム(３)及び背凭れ(６)の上端までの回転半径が大となり、小さな回動角度で背凭れ(６)を大きく後傾させることができるとともに、後傾時の後方への突出寸法も小さくなる。
【００３２】
また、脚体(１)及び座体(２)の高さを高くすることなく、大きく後傾させうるので、安楽姿勢で着座しうる低座高型の椅子を提供することができる。
しかも、上記実施形態では、背凭れ支持フレーム(３)及び座体(２)の前部を、脚体(１)における正面視上向コ字形をなす連結部材(10)の横杆(10a)上に設けた、側脚(９)の頂部とほぼ同じ高さの支基(15)に枢着しているので、座高はより低くなり、より安楽した姿勢で着座することができる。
【００３３】
背凭れ支持フレーム(３)の前向腕部(17a)の前後寸法が比較的長く、その回転半径も大きいだけでなく、座体(２)の下方において斜後ろ上方に傾斜しており、かつその前下端を、への字形をなす側脚(９)の頂部とほぼ等高をなす位置に枢着してあるので、前向腕部(17a)の回動可能角度を大きくすることができ、その後端が床面と干渉する恐れはない。
【００３４】
脚体(１)の両側脚(９)における前脚(9a)と後脚(9b)は、平面視ハ字形をなすように外側方に拡開し、かつ後脚(9b)の前後寸法を前脚(9a)よりも長寸としているため、椅子の安定性は高く、かつ背凭れ(６)を後傾したときの安定性にも優れる。
また、左右の前脚(9a)が外側方に拡開しているので、着座者の下肢部が前脚(9a)に当たる恐れは小さい。
【００３５】
なお、上記実施形態においては、背凭れ支持フレーム(３)の前向腕部(17a)を、支基(15)に、枢着しているが、左右の側脚(９)の頂部、すなわち短軸部(11)の内側面に、適宜のリクライニング機構を介して枢着することもある。
【００３６】
また、上記実施形態では、背凭れ支持フレーム(３)の傾動と連動して、座体(２)も後傾するものとしたが、座体(２)は、単に支基(15)を含む脚体(１)の上部適所に固定的に設けてもよい。
【図面の簡単な説明】
【００３７】
【図１】本発明の椅子の一実施形態を示す前方斜視図である。
【図２】同じく正面図である。
【図３】同じく側面図である。
【図４】同じく、背凭れを後傾させたときの側面図である。
【図５】同じく後面図である。
【図６】脚体の斜視図である。
【図７】同じく平面図である。
【符号の説明】
【００３８】
(１)脚体
(２)座体
(３)背凭れ支持フレーム
(４)背凭れ板
(５)クッション体
(６)背凭れ
(７)肘掛け
(８)キャスタ
(９)側脚
(9a)前脚
(9b)後脚
(10)連結部材
(10a)起立片
(10b)横杆
(10c)上向膨出部
(11)短軸部
(12)取付片
(13)ボルト
(14)キャップ
(15)支基
(16)ボルト
(17)側部フレーム
(17a)前向腕部
(17b)内向折曲部
(18)上部フレーム
(19)軸状支持部
(20)座支持リンク
(21)枢軸
(22)座支持片
(23)肘掛け取付部
(24)座枠
(25)枢軸
(26)枢軸
【図１】
2007330338.tif 000003
【図２】
2007330338.tif 000004
【図３】
2007330338.tif 000005
【図４】
2007330338.tif 000006
【図５】
2007330338.tif 000007
【図６】
2007330338.tif 000008
【図７】
2007330338.tif 000009